【手続補正書】
【提出日】平成21年4月3日(2009.4.3)
【手続補正１】
【補正対象書類名】明細書
【補正対象項目名】００２７
【補正方法】変更
【補正の内容】
【００２７】
図３は、ミシン４を示す斜視図である。ミシン４は、針板１００と押え金１０１とによって、生地２と帯状物３とを挟んだ状態で、図示を省略する送り歯によって生地２および帯状物３を生地送り方向Ａへ送りながら、針１０２の上下の往復動によって縫製し、生地２に帯状物３を縫着する。テープなどとも呼ばれる帯状物３は、伸縮性を有する帯状物であってもよいし、伸縮性を有していない帯状物であってもよい。
【手続補正２】
【補正対象書類名】明細書
【補正対象項目名】００４５
【補正方法】変更
【補正の内容】
【００４５】
また液晶表示パネル部３６は、送り量に関する情報を表示することができる。液晶表示パネル部３６は、送り量に関する情報として、たとえば１つの工程毎、１つの製品毎、１時間などの単位時間当たりまたは１日などの単位日数当たりの帯状物３の使用量、帯状物３の全長から総使用量を減算した残り量などを、表示することができる。このような帯状物３の送り量に関する情報は、エンコーダ１３による送り量の検出結果に基づいて、制御部１５で演算して求められ、この制御部１５が液晶表示パネル部３６に表示させる。これによって作業者が帯状物３の送り量に関する情報を容易に把握することができる。
【手続補正３】
【補正対象書類名】明細書
【補正対象項目名】００５３
【補正方法】変更
【補正の内容】
【００５３】
運針数で張力を制御する制御動作を可能にするために、縫着装置１には、送り装置５の構成として、ミシン４における運針数を検出する運針数検出手段である運針数検出部５３が設けられる。運針数検出部５３は、たとえばミシン４が備える針１０２を駆動するための駆動軸の回転角度を検出するエンコーダなどによって実現され、この回転角度から運針数を求める。また入力部１４は、運針数と縫着時に帯状物３に与えるべき張力とを対応付けて入力可能である。制御部１５は、運針数で張力を制御する制御動作では、荷重センサ１２によって検出される張力および運針数検出部５３によって検出される運針数に基づいて、ミシン４が設定される運針数の動作をする間、対応付けられている張力を帯状物３に与え、ミシンモータを制御して、ミシン４の運針数で張力を制御する。
【手続補正４】
【補正対象書類名】明細書
【補正対象項目名】００５４
【補正方法】変更
【補正の内容】
【００５４】
生地２を複数の部位に分け、複数の工程を設定する場合は、各工程毎に、運針数と縫着時に帯状物３に与えるべき張力とを対応付けて設定し、記憶部３３に記憶させておき、各工程毎に、ミシン４が設定される運針数の動作をする間、対応付けられている張力を帯状物３に与えるように、張力を制御する。このように制御部１５が運針数で張力を制御する制御動作を実行しているときは、縫着装置１では、運針数で張力が制御され、生地２に帯状物３が縫着される。
【手続補正５】
【補正対象書類名】明細書
【補正対象項目名】００５６
【補正方法】変更
【補正の内容】
【００５６】
再び図８を参照して、入力部１４は、操作パネル２４に設けられる操作キーとして、工程選択キー５５Ａ、サイズ設定キー５６、モード切替キー５７、増減キー５８、コード切替キー５９、ロックキー６０、テンションフリーキー６１、ファンクションキー６２、スタートキー６３、リセットキー６４を有する。制御部１５は、これらの操作キーの操作に従って、制御動作を実行する。
【手続補正６】
【補正対象書類名】明細書
【補正対象項目名】００５７
【補正方法】変更
【補正の内容】
【００５７】
工程選択キー５５Ａは、工程を選択するキーであり、本実施の形態では、１つの縫着モードにおいて、８つまで工程を設定することが可能である。サイズ設定キー５６は、各工程における帯状物３の長さ寸法を設定するときに用いるキーである。モード切替キー５７は、複数の縫着モードが登録されている場合に、縫着モードを選択するために用いるキーである。増減キー５８は、設定値を増減させるためのキーである。
【手続補正７】
【補正対象書類名】明細書
【補正対象項目名】００６０
【補正方法】変更
【補正の内容】
【００６０】
このような入力部１４では、工程選択キー５５Ａ、サイズ設定キー５６、増減キー５８を操作することによって、送り量で張力を制御する制御動作のためのデータとして、縫着モード毎に、各工程で、生地２に縫着すべき帯状物３の長さ寸法と、帯状物３に与えるべき張力とを対応付けて入力し、設定することができる。また入力部１４では、工程選択キー５５Ａ、サイズ設定キー５６、増減キー５８を操作することによって、運針数で張力を制御する制御動作のためのデータとして、縫着モード毎に、各工程のミシン４の運針数と、帯状物３に与えるべき張力とを対応付けて入力し、設定することができる。また入力部１４では、工程選択キー５５Ａ、サイズ設定キー５６、増減キー５８を操作することによって、手動で張力を切替える制御動作のためのデータとして、縫着モード毎に、各工程で帯状物３に与えるべき張力を入力し、設定することができる。この縫着モードのデータは、記憶部３３に記憶される。
【手続補正８】
【補正対象書類名】明細書
【補正対象項目名】００６２
【補正方法】変更
【補正の内容】
【００６２】
図１０は、制御部１５における送り量で張力を制御する制御動作を示すフローチャートである。制御部１５は、生地センサ４０による検出結果または作業者の目視結果に基づいて、生地２が縫着動作を開始する位置に配置された状態で、スタートキー６３が操作されることによって、ステップａ０で、送り量で張力を制御する制御動作を開始する。スタートキー６３が操作されると、ミシン４が縫着動作を開始する。
【手続補正９】
【補正対象書類名】明細書
【補正対象項目名】００６５
【補正方法】変更
【補正の内容】
【００６５】
このような制御部１５を備える縫着装置１によって、本発明に従う縫着方法を実行することができる。つまり生地２に縫着すべき帯状物３の長さ寸法と縫着時に帯状物３に与えるべき張力とを対応付けて設定しておき、ミシン４に帯状物３を送って生地２に帯状物３を縫着するとき、帯状物３の送り量および張力を検出し、設定される長さ寸法の帯状物３を送る間、対応付けられている張力を帯状物３に与えるように、帯状物３の張力を制御しながら、生地２に帯状物３を縫着することができる。この縫着方法は、ミシン４における運針数などミシン４の動作量ではなく、ミシン４への帯状物３の送り量で張力を制御しながら、生地２に帯状物３を縫着する。
【手続補正１０】
【補正対象書類名】明細書
【補正対象項目名】００６７
【補正方法】変更
【補正の内容】
【００６７】
前述のように縫着装置１としては、ミシン４の運針数で張力を制御する制御動作、手動で張力を制御する制御動作を可能にし、作業者が制御動作を選択できるように構成してもよい。このようにして、送り量で張力を制御する制御動作、運針数で張力を制御する制御動作、手動で張力を切替える制御動作を、作業者が、用途、各制御動作の慣れの度合などによって、適宜選択することができ、使い勝手の良い、利便性の高い帯状物縫着装置を実現することができる。
【手続補正１１】
【補正対象書類名】明細書
【補正対象項目名】００６８
【補正方法】変更
【補正の内容】
【００６８】
また送り機構１０を通過する帯状物３の厚み寸法が検出され、帯状物３の厚み寸法が変化すると、警告が発される。帯状物３の継ぎ目部は、他の部分に比べて厚み寸法が大きい。この継ぎ目部などの厚み寸法の異なる部分が生地２に縫着されると、製品の品質低下につながるおそれがある。厚み寸法の変化を検出して警告を発することによって、帯状物３の継ぎ目部がミシン４に供給されて生地２に縫着されてしまうことを防ぎ、製品品質の低下などの不具合を未然に防ぐことができる。
【手続補正１２】
【補正対象書類名】明細書
【補正対象項目名】００７２
【補正方法】変更
【補正の内容】
【００７２】
ゴーモード動作を実行する場合、制御部１５は、図１０に示すような制御動作ではなく、図１１の動作を、各工程毎に繰り返して実行する。制御部１５は、１つの工程を開始すべき状態となると、ステップｂ０で、ゴーモード動作を開始し、ステップｂ１でその工程で設定される張力に制御し、工程が終了すると、ステップｂ２に進んで、現在実行中の縫着モードにおける最終工程か否かを判定する。最終工程であれば、ステップｂ３に進む。最終工程でなければ、ステップｂ６に進み、制御部１５は、次の工程に切替え、ステップｂ７でゴーモード動作を終了する。
【手続補正１３】
【補正対象書類名】明細書
【補正対象項目名】００８１
【補正方法】変更
【補正の内容】
【００８１】
図１５は、本発明の実施のさらに他の形態の縫着装置１Ｂを示す斜視図である。図１６は、縫製製品の他の例であるブラジャ７０を示す斜視図である。図１７は、ブラジャ７０のアンダーバスト部の一部を拡大して示す斜視図である。図１５の縫着装置１Ｂは、図１〜図１３に示す縫着装置１と類似しており、対応する部分に同一の符号を付し、異なる点についてだけ説明する。図１５に示す縫着装置１Ｂでは、ミシン４として、千鳥縫いミシンを備えている。その他の構成は同様である。ブラジャ７０には、生地２のアンダーバスト部にレース状の帯状物３が縫着されて装着されている。千鳥縫いミシンは、このような縫製製品の縫製に好適なミシンである。
【手続補正１４】
【補正対象書類名】図面
【補正対象項目名】図８
【補正方法】変更
【補正の内容】
【図８】
2007301052.tif 000001